(57)【要約】【課題】凝縮器吸込みセンサ位置を変更して外気温も検知できるようにして、外気温に対応した棚の温度制御が可能となり、また、複数のヒータ線で制御することで、ホット商品を常に適温に保つことができる冷温蔵ショーケースを提供する。【解決手段】機械室１１内の凝縮器吸込み位置での温度センサ２１の位置をショーケース前面側に近づけ、また、棚加温用ヒータ線を陳列棚の前側と奥側の前側シリコンコードヒータ１７ａと奥側シリコンコードヒータ１７ｂとの二つに分けて配設した。【選択図】        図１
2011247468.tif 000002
【特許請求の範囲】
【請求項１】
機械室内の凝縮器吸込み位置での温度センサ位置をショーケース前面側に近づけ、また、棚加温用ヒータ線を陳列棚の前側と奥側の二つに分けて配設したことを特徴とする冷温蔵ショーケース。
【発明の詳細な説明】
【技術分野】
【０００１】
本発明は、ホット商品とコールド商品とを同時に陳列できる冷温蔵ショーケースに関する。
【背景技術】
【０００２】
複数の商品棚が多段に設置された商品陳列室の周囲に、ファンにより冷却器を通して冷気を循環させる通風路を備えるとともに、商品陳列室を上部のホット室と下部のコールド室とに分け、上部ホット室の商品棚に設けられたヒータの通電制御とにより、商品陳列室全体が冷却されるオールコールド運転と、ホット室が加温されコールド室が冷却される冷温蔵運転とに切換運転される冷温蔵ショーケースが知られており、このようなショーケースについては、例えば特許文献１に記載されている。
【特許文献１】特開２００４−３３７２２９号公報
【０００３】
冷温蔵ショーケースでオープンショーケースタイプのものは、例えば図６、図７に示すように断熱壁で形成され前面に商品出し入れ用の開口２を有するショーケース本体１内を仕切板３で商品収納庫４と冷気循環ダクト５とに区画し、商品収納庫４内に複数段の陳列棚６を前後にスライド自在に配設する。
【０００４】
図示は省略するが、冷気循環ダクト５内に送風機と冷却器とを配設して、図７に示すように商品収納庫４の下方に設けた吸込口７から吸込んだ空気を冷却して冷気として上方の吹出口８から前面の開口２に向けて吹出し、ここに冷気エアカーテンを形成して商品収納庫４内の商品を保冷している。
【０００５】
商品収納庫４内の上半分をホット商品の収納部に、下半分をコールド商品の収納部とするのに、下半分の庫内の陳列棚６に陳列されているコールド商品を保冷するために、図８に示すように冷気循環ダクト５の途中を、ホット商品の収納部とコールド商品の収納部との境界部位で冷気の流れを遮断する中間仕切板９で仕切るとともに、前記中間仕切板９の形成部位に対応させて冷気を庫内に導く中間吹出口１０を仕切板３に設ける。この中間吹出口１０は、仕切板３に吹出しのための孔や切欠きを適宜設けることで形成する。
【０００６】
そして、下方の収納部に陳列されているコールド商品を保冷するには、庫内の背面側に前記のようにして形成された中間吹出口１０から庫内に向けて冷気を吹出す。
【０００７】
図中１１はショーケース本体１の下部に形成された機械室で、図３に示すように、内部には冷却ユニットとしての凝縮器１２、凝縮器ファン１３、ドレンパン１４、アキュームレーター１５、圧縮器１６等が設置される。
【０００８】
この機械室１１は周囲をパネルで囲まれており、ショーケースの前面側のパネルには図６に示すように、空気取り込み用のスリット２２が形成されている。
【０００９】
陳列棚６のうち、上部ホット室の設けられたものは、ヒータの通電制御とにより加温されるようになっており、図３、図５に示すように、裏側にシリコンコードヒータ１７を貼り付けており、このシリコンコードヒータ１７は陳列棚６の周囲に添って、かつ、１本のものを後側（背面側）βの中央から左右に分け、前側αが複数列並ぶように前側αの中央とで折り返している。
【００１０】
図中１８は温度ヒューズ、１９は温度センサであり、シリコンコードヒータ１７は陳列棚６の裏側に感圧接着剤付アルミ箔テープ２０ａとアルミ箔テープ２０ｂとで挟み込むことで、陳列棚６に貼り付け固定する。
【発明の開示】
【発明が解決しようとする課題】
【００１１】
前記機械室１１では前側αに対して凝縮器１２は前側αから後側（背面側）βへ向くように横向きに置かれ、温度センサ２１も十分なる凝縮器１２への吸い込みを検知できるように、凝縮器１２の前面でかつ後側（背面側）βに近い個所に設けている。これは温度センサ２１が凝縮器吸込みセンサとしての役割のものであり、吸い込み力が懸念される個所を選定したものである。
【００１２】
しかし、このような温度センサ２１の位置では、外気温を検知することはできない。また、棚加温用ヒータ線としてのシリコンコードヒータ１７は１本のみで制御されるものであり、外気温の状態では加温不足や過剰加温を惹起する。
【００１３】
図３では外気温１５℃の場合で、陳列棚６に載置したペットボトル２３は、陳列棚６が下向きに傾斜することもあって、前側αの列のものから取り出されて、後側（背面側）βのものが順次前側に移行するが、最後尾ではシリコンコードヒータ１７の並びが少ないこともあって斜線に示すように、加温不足状態となる。
【００１４】
また、図４に示すように、外気温２７℃の場合では、斜線に示すように、前側αの列のものが過剰加温になる。
【００１５】
本発明の目的は前記従来例の不都合を解消し、凝縮器吸込みセンサ位置を変更して外気温も検知できるようにして、外気温に対応した棚の温度制御が可能となり、また、複数のヒータ線で制御することで、ホット商品を常に適温に保つことができる冷温蔵ショーケースを提供することにある。
【課題を解決するための手段】
【００１６】
前記目的を達成するため、請求項１記載の本発明は、機械室内の凝縮器吸込み位置での温度センサ位置をショーケース前面側に近づけ、また、棚加温用ヒータ線を陳列棚の前側と奥側の二つに分けて配設したことを要旨とするものである。
【００１７】
請求項１記載の本発明によれば、機械室内の凝縮器吸込み位置での温度センサ位置をショーケース前面側に近づけるようにしたので、この温度センサは外気温も検知できるようになり、その結果を温度制御に反映させることができる。
【００１８】
また、棚加温用ヒータ線を棚の前側と奥側の二つに分けて配設したことにより、外気温の変化に応じて奥側すなわち、後側（背面側）βも十分加温でき、加温不足状態となることを防ぎ、また、外気温が高い場合には前側のヒータ線を使用しないで過剰加温にならないようにすることができる。
【発明の効果】
【００１９】
以上述べたように本発明の冷温蔵ショーケースは、凝縮器吸込みセンサ位置を変更して外気温も検知できるようにして、外気温に対応した棚の温度制御が可能となり、また、複数のヒータ線で制御することで、ホット商品を常に適温に保つことができるものである。
【発明を実施するための最良の形態】
【００２０】
以下、図面について本発明の実施形態を詳細に説明する。図１は本発明の冷温蔵ショーケースの１実施形態を示す説明図で、機械室１１はショーケース本体１の下部に形成されたものである。
【００２１】
なお、冷温蔵ショーケースの全体については前記図６〜図８で説明した通りであり、詳細説明は省略する。
【００２２】
図３の従来と同じく、機械室１１は、内部には冷却ユニットとしての凝縮器１２、凝縮器ファン１３、ドレンパン１４、アキュームレーター１５、圧縮器１６等が設置される。
【００２３】
この機械室１１は周囲をパネルで囲まれており、ショーケースの前面側のパネルには図５に示すように、空気取り込み用のスリット２２が形成されている。
【００２４】
前記機械室１１では前側αに対して凝縮器１２は前側αから後側（背面側）βへ向くように横向きに置かれる。
【００２５】
陳列棚６のうち、上部ホット室の設けられたものは、ヒータの通電制御とにより加温されるようになっており、図５に示すように、シリコンコードヒータ１７は裏側に感圧接着剤付アルミ箔テープ２０ａとアルミ箔テープ２０ｂとで挟み込むことで貼り付け固定する。
【００２６】
本発明は前記機械室１１において、凝縮器吸込みセンサとしての温度センサ２１は、凝縮器吸込み位置で、ショーケース前（面）側αに近づけて設置した。
【００２７】
黒丸は温度センサ２１の位置を示し、白丸は従来の位置を示すが、凝縮器吸込みセンサ位置を変更し外気温検知もできるようにしたものである。
【００２８】
また、棚加温用ヒータ線であるシリコンコードヒータは陳列棚６の周囲に添って設けるが、前側シリコンコードヒータ１７ａと奥側シリコンコードヒータ１７ｂの二つに分けて配設した。
【００２９】
前側シリコンコードヒータ１７ａと奥側シリコンコードヒータ１７ｂとは共に１本のものを中央から左右に分け、複数列並ぶように中央で折り返し、かつ、陳列棚６の外周に沿って連続させている。
【００３０】
前側シリコンコードヒータ１７ａは、陳列棚６の前側では左右の端までの連続する線であり、奥側シリコンコードヒータ１７ｂは陳列棚６の奥側では左右の端までの連続する線であり、しかも、その先は陳列棚６の側部に沿って前側に伸びて折り返している。
【００３１】
図中１８は温度ヒューズ、１９は温度センサであり、前記温度センサ２１やこの温度センサ１９からの出力は、マイコンによる制御装置に導入され、この制御装置の出力で、前側シリコンコードヒータ１７ａと奥側シリコンコードヒータ１７ｂは通電制御される。
【００３２】
図２は、棚加温用ヒータ線であるシリコンコードヒータは陳列棚６の周囲に沿って設ける別の形態で、前側シリコンコードヒータと奥側シリコンコードヒータ１７ｂの二つに分けて配設する点は前記第１実施形態と同じであるが、前側シリコンコードヒータは、さらにこれを２つに分け、前側シリコンコードヒータ１７ａと、前側シリコンコードヒータ１７ａ′とした。
した。
【００３３】
前側シリコンコードヒータ１７ａ、１７ａ′のうち、前側シリコンコードヒータ１７ａは陳列棚６の前側に沿って左右の１片側から他方へ伸びて、さらに、陳列棚６の側部側へ沿って奥へ行き、折り返し、もとの所へ並行に戻ってきている。
【００３４】
前側シリコンコードヒータ１７ａ′は、１本のものを中央から左右に分け、陳列棚６の前側に沿って前記前側シリコンコードヒータ１７ａに並ぶように配列され、かつ、複数列並ぶように中央で折り返している。
【００３５】
奥側シリコンコードヒータ１７ｂは本のものを中央から左右に分け、かつ、陳列棚６の側部側へ沿って前へ行き、陳列棚６の前側で折り返すとともに、陳列棚６の奥側に沿って連続して伸びている。
【図面の簡単な説明】
【００３６】
【図１】本発明の冷温蔵ショーケースの１実施形態を示す説明図である。
【図２】本発明の冷温蔵ショーケースの第２実施形態を示す説明図である。
【図３】従来例を示す説明図である。
【図４】従来例で陳列棚の平面図である。
【図５】図３のＡ−Ａ線拡大断面図である。
【図６】冷温蔵ショーケースで、オープンショーケースの斜視図である。
【図７】冷温蔵ショーケースで、オープンショーケースの縦断側面図である。
【図８】冷温蔵ショーケースで、ホット部とコールド部に分けた場合の縦断側面図である。
【符号の説明】
【００３７】
１  ショーケース本体              ２  開口
３  仕切板                        ４  商品収納庫
５  冷気循環ダクト                ６  陳列棚
７  吸込口                        ８  吹出口
９  中間仕切板                    １０  中間吹出口
１１  機械室                      １２  凝縮器
１３  凝縮器ファン                １４  ドレンパン
１５  アキュームレーター          １６  圧縮器
１７  シリコンコードヒータ        
１７ａ、１７ａ´  前側シリコンコードヒータ
１７ｂ  奥側シリコンコードヒータ
１８  温度ヒューズ                １９  温度センサ
２０ａ  感圧接着剤付アルミ箔テープ
２０ｂ  アルミ箔テープ            ２１  温度センサ
２２  空気取り込み用のスリット
【図１】
2011247468.tif 000003
【図２】
2011247468.tif 000004
【図３】
2011247468.tif 000005
【図４】
2011247468.tif 000006
【図５】
2011247468.tif 000007
【図６】
2011247468.tif 000008
【図７】
2011247468.tif 000009
【図８】
2011247468.tif 000010